(57)【要約】  本願の実施例は、フィードバック応答情報の重複送信を回避し、ＰＵＣＣＨの効率を向上させることができる無線通信方法及びデバイスを提供する。該方法は、端末デバイスが第１の時間ユニットにおいて第１のフィードバック情報を送信することを含み、ここで、前記第１のフィードバック情報において第１のリソースユニットに対応するビットがプレースホルダー情報として設定され、前記第１のリソースユニットが第１の目標リソースセットに属し、前記第１のリソースユニットが第１の下りチャネルを伝送し、前記第１の下りチャネルに対応するフィードバックタイミングが第２の時間ユニットであり、前記第１の目標リソースセットが少なくとも１つのリソースユニットを含み、前記第２の時間ユニットと前記第１の時間ユニットとが異なる。
2021517385.tif 000002
【特許請求の範囲】
【請求項１】
端末デバイスが第１の時間ユニットにおいて第１のフィードバック情報を送信することを含み、
前記第１のフィードバック情報において第１のリソースユニットに対応するビットがプレースホルダー情報として設定され、前記第１のリソースユニットが第１の目標リソースセットに属し、前記第１のリソースユニットが第１の下りチャネルを伝送し、前記第１の下りチャネルに対応するフィードバックタイミングが第２の時間ユニットであり、前記第１の目標リソースセットが少なくとも１つのリソースユニットを含み、前記第２の時間ユニットと前記第１の時間ユニットとが異なる
ことを特徴とする無線通信方法。
【請求項２】
前記第１の目標リソースセットは、上位層パラメータにより決定されたものである
ことを特徴とする請求項１に記載の無線通信方法。
【請求項３】
前記第１の目標リソースセットの各リソースユニットは、前記下りチャネルを伝送するように構成されることができる
ことを特徴とする請求項１又は２に記載の無線通信方法。
【請求項４】
前記第１の目標リソースセットは、少なくとも１つのキャリア内の少なくとも１つの時間ユニットを含む
ことを特徴とする請求項１〜３のいずれか１項に記載の無線通信方法。
【請求項５】
前記第１のフィードバック情報のビット数は、前記第１の目標リソースセットのリソースユニット数に基づいて決定されたものである
ことを特徴とする請求項１〜４のいずれか１項に記載の無線通信方法。
【請求項６】
前記第１の目標リソースセットの各リソースユニットは、前記第１のフィードバック情報において少なくとも１つのビットに対応する
ことを特徴とする請求項１〜５のいずれか１項に記載の無線通信方法。
【請求項７】
前記第１のフィードバック情報において第２のリソースユニットに対応するビットが第２の下りチャネルのフィードバック応用情報を搬送し、前記第２のリソースユニットが前記第１の目標リソースセットに属し、前記第２のリソースユニットが前記第２の下りチャネルを伝送し、前記第２の下りチャネルに対応するフィードバックタイミングが前記第１の時間ユニットである
ことを特徴とする請求項１〜６のいずれか１項に記載の無線通信方法。
【請求項８】
前記第１のリソースユニットが第２の目標リソースセットにさらに属し、前記第２の目標リソースセットが少なくとも１つのリソースユニットを含み、前記方法は、さらに、
前記端末デバイスが前記第２の時間ユニットにおいて第２のフィードバック情報を送信することを含み、
前記第２のフィードバック情報において前記第１のリソースユニットに対応するビットが前記第１の下りチャネルのフィードバック応用情報として設定される
ことを特徴とする請求項１〜７のいずれか１項に記載の無線通信方法。
【請求項９】
前記第２の目標リソースセットの各リソースユニットが前記第２のフィードバック情報において少なくとも１つのビットに対応する
ことを特徴とする請求項８に記載の無線通信方法。
【請求項１０】
前記方法は、さらに、
前記端末デバイスがネットワークデバイスにより送信された指示情報を受信することを含み、前記指示情報は、前記第１の下りチャネルに対応するフィードバックタイミングが前記第２の時間ユニットであることを示す
ことを特徴とする請求項１〜９のいずれか１項に記載の無線通信方法。
【請求項１１】
ネットワークデバイスが第１の時間ユニットにおいて端末デバイスにより送信された第１のフィードバック情報を受信することを含み、
前記第１のフィードバック情報において第１のリソースユニットに対応するビットがプレースホルダー情報として設定され、前記第１のリソースユニットが第１の目標リソースセットに属し、前記第１のリソースユニットが第１の下りチャネルを伝送し、前記第１の下りチャネルに対応するフィードバックタイミングが第２の時間ユニットであり、前記第１の目標リソースセットが少なくとも１つのリソースユニットを含み、前記第２の時間ユニットと前記第１の時間ユニットとが異なる
ことを特徴とする無線通信方法。
【請求項１２】
前記方法は、さらに、
前記ネットワークデバイスが前記第１の目標リソースセットを決定するための上位層パラメータを前記端末デバイスに構成することを含む
ことを特徴とする請求項１１に記載の無線通信方法。
【請求項１３】
前記第１の目標リソースセットの各リソースユニットは、前記下りチャネルを伝送するように構成されることができる
ことを特徴とする請求項１１又は１２に記載の無線通信方法。
【請求項１４】
前記第１の目標リソースセットは、少なくとも１つのキャリア内の少なくとも１つの時間ユニットを含む
ことを特徴とする請求項１１〜１３のいずれか１項に記載の無線通信方法。
【請求項１５】
前記第１のフィードバック情報のビット数は、前記第１の目標リソースセットのリソースユニット数に基づいて決定されたものである
ことを特徴とする請求項１１〜１４のいずれか１項に記載の無線通信方法。
【請求項１６】
前記第１の目標リソースセットの各リソースユニットは、前記第１のフィードバック情報において少なくとも１つのビットに対応する
ことを特徴とする請求項１１〜１５のいずれか１項に記載の無線通信方法。
【請求項１７】
前記第１のフィードバック情報において第２のリソースユニットに対応するビットが第２の下りチャネルのフィードバック応用情報を搬送し、前記第２のリソースユニットが前記第１の目標リソースセットに属し、前記第２のリソースユニットが前記第２の下りチャネルを伝送し、前記第２の下りチャネルに対応するフィードバックタイミングが前記第１の時間ユニットである
ことを特徴とする請求項１１〜１６のいずれか１項に記載の無線通信方法。
【請求項１８】
前記第１のリソースユニットが第２の目標リソースセットにさらに属し、前記第２の目標リソースセットが少なくとも１つのリソースユニットを含み、前記方法は、さらに、
前記ネットワークデバイスが前記第２の時間ユニットにおいて第２のフィードバック情報を受信することを含み、
前記第２のフィードバック情報において前記第１のリソースユニットに対応するビットが前記第１の下りチャネルのフィードバック応用情報として設定される
ことを特徴とする請求項１１〜１７のいずれか１項に記載の無線通信方法。
【請求項１９】
前記第２の目標リソースセットの各リソースユニットが前記第２のフィードバック情報において少なくとも１つのビットに対応する
ことを特徴とする請求項１８に記載の無線通信方法。
【請求項２０】
前記方法は、さらに、
前記ネットワークデバイスが指示情報を送信することを含み、前記指示情報は、前記第１の下りチャネルに対応するフィードバックタイミングが前記第２の時間ユニットであることを示す
ことを特徴とする請求項１１〜１９のいずれか１項に記載の無線通信方法。
【請求項２１】
送信ユニットを備える端末デバイスであって、
前記送信ユニットは、第１の時間ユニットにおいて第１のフィードバック情報を送信するように構成され、
前記第１のフィードバック情報において第１のリソースユニットに対応するビットがプレースホルダー情報として設定され、前記第１のリソースユニットが第１の目標リソースセットに属し、前記第１のリソースユニットが第１の下りチャネルを伝送し、前記第１の下りチャネルに対応するフィードバックタイミングが第２の時間ユニットであり、前記第１の目標リソースセットが少なくとも１つのリソースユニットを含み、前記第２の時間ユニットと前記第１の時間ユニットとが異なる
ことを特徴とする端末デバイス。
【請求項２２】
前記第１の目標リソースセットは、上位層パラメータにより決定されたものである
ことを特徴とする請求項２１に記載の端末デバイス。
【請求項２３】
前記第１の目標リソースセットの各リソースユニットは、前記下りチャネルを伝送するように構成されることができる
ことを特徴とする請求項２１又は２２に記載の端末デバイス。
【請求項２４】
前記第１の目標リソースセットは、少なくとも１つのキャリア内の少なくとも１つの時間ユニットを含む
ことを特徴とする請求項２１〜２３のいずれか１項に記載の端末デバイス。
【請求項２５】
前記第１のフィードバック情報のビット数は、前記第１の目標リソースセットのリソースユニット数に基づいて決定されたものである
ことを特徴とする請求項２１〜２４のいずれか１項に記載の端末デバイス。
【請求項２６】
前記第１の目標リソースセットの各リソースユニットは、前記第１のフィードバック情報において少なくとも１つのビットに対応する
ことを特徴とする請求項２１〜２５のいずれか１項に記載の端末デバイス。
【請求項２７】
前記第１のフィードバック情報において第２のリソースユニットに対応するビットが第２の下りチャネルのフィードバック応用情報を搬送し、前記第２のリソースユニットが前記第１の目標リソースセットに属し、前記第２のリソースユニットが前記第２の下りチャネルを伝送し、前記第２の下りチャネルに対応するフィードバックタイミングが前記第１の時間ユニットである
ことを特徴とする請求項２１〜２６のいずれか１項に記載の端末デバイス。
【請求項２８】
前記第１のリソースユニットが第２の目標リソースセットにさらに属し、前記第２の目標リソースセットが少なくとも１つのリソースユニットを含み、前記送信ユニットは、さらに、
前記第２の時間ユニットにおいて第２のフィードバック情報を送信するように構成され、
前記第２のフィードバック情報において前記第１のリソースユニットに対応するビットが前記第１の下りチャネルのフィードバック応用情報として設定される
ことを特徴とする請求項２１〜２７のいずれか１項に記載の端末デバイス。
【請求項２９】
前記第２の目標リソースセットの各リソースユニットが前記第２のフィードバック情報において少なくとも１つのビットに対応する
ことを特徴とする請求項２８に記載の端末デバイス。
【請求項３０】
受信ユニットをさらに含み、
前記受信ユニットは、ネットワークデバイスにより送信された指示情報を受信するように構成され、前記指示情報は、前記第１の下りチャネルに対応するフィードバックタイミングが前記第２の時間ユニットであることを示す
ことを特徴とする請求項２１〜２９のいずれか１項に記載の端末デバイス。
【請求項３１】
受信ユニットを備えるネットワークデバイスであって、
前記受信ユニットは、第１の時間ユニットにおいて端末デバイスにより送信された第１のフィードバック情報を受信するように構成され、
前記第１のフィードバック情報において第１のリソースユニットに対応するビットがプレースホルダー情報として設定され、前記第１のリソースユニットが第１の目標リソースセットに属し、前記第１のリソースユニットが第１の下りチャネルを伝送し、前記第１の下りチャネルに対応するフィードバックタイミングが第２の時間ユニットであり、前記第１の目標リソースセットが少なくとも１つのリソースユニットを含み、前記第２の時間ユニットと前記第１の時間ユニットとが異なる
ことを特徴とするネットワークデバイス。
【請求項３２】
送信ユニットをさらに含み、
前記送信ユニットは、前記第１の目標リソースセットを決定するための上位層パラメータを前記端末デバイスに構成するように構成される
ことを特徴とする請求項３１に記載のネットワークデバイス。
【請求項３３】
前記第１の目標リソースセットの各リソースユニットは、前記下りチャネルを伝送するように構成されることができる
ことを特徴とする請求項３１又は３２に記載のネットワークデバイス。
【請求項３４】
前記第１の目標リソースセットは、少なくとも１つのキャリア内の少なくとも１つの時間ユニットを含む
ことを特徴とする請求項３１〜３３のいずれか１項に記載のネットワークデバイス。
【請求項３５】
前記第１のフィードバック情報のビット数は、前記第１の目標リソースセットのリソースユニット数に基づいて決定されたものである
ことを特徴とする請求項３１〜３４のいずれか１項に記載のネットワークデバイス。
【請求項３６】
前記第１の目標リソースセットの各リソースユニットは、前記第１のフィードバック情報において少なくとも１つのビットに対応する
ことを特徴とする請求項３１〜３５のいずれか１項に記載のネットワークデバイス。
【請求項３７】
前記第１のフィードバック情報において第２のリソースユニットに対応するビットが第２の下りチャネルのフィードバック応用情報を搬送し、前記第２のリソースユニットが前記第１の目標リソースセットに属し、前記第２のリソースユニットが前記第２の下りチャネルを伝送し、前記第２の下りチャネルに対応するフィードバックタイミングが前記第１の時間ユニットである
ことを特徴とする請求項３１〜３６のいずれか１項に記載のネットワークデバイス。
【請求項３８】
前記第１のリソースユニットが第２の目標リソースセットにさらに属し、前記第２の目標リソースセットが少なくとも１つのリソースユニットを含み、受信ユニットは、さらに、
前記第２の時間ユニットにおいて第２のフィードバック情報を受信するように構成され、
前記第２のフィードバック情報において前記第１のリソースユニットに対応するビットが前記第１の下りチャネルのフィードバック応用情報として設定される
ことを特徴とする請求項３１〜３７のいずれか１項に記載のネットワークデバイス。
【請求項３９】
前記第２の目標リソースセットの各リソースユニットが前記第２のフィードバック情報において少なくとも１つのビットに対応する
ことを特徴とする請求項３８に記載のネットワークデバイス。
【請求項４０】
送信ユニットをさらに含み、
前記送信ユニットは、指示情報を送信するように構成され、前記指示情報は、前記第１の下りチャネルに対応するフィードバックタイミングが前記第２の時間ユニットであることを示す
ことを特徴とする請求項３１〜３９のいずれか１項に記載のネットワークデバイス。
【発明の詳細な説明】
【技術分野】
【０００１】
本願は、通信分野に関し、具体的に、無線通信方法、端末デバイス及びネットワークデバイスに関する。
【背景技術】
【０００２】
ロングタームエボリューション( Ｌｏｎｇ  Ｔｅｒｍ  Ｅｖｏｌｕｔｉｏｎ、ＬＴＥ )システムでは、端末は、１つの下りチャネル(例えば、物理下り共有チャネル( Ｐｈｙｓｉｃａｌ Ｄｏｗｎｌｉｎｋ Ｓｈａｒｅｄ Ｃｈａｎｎｅｌ、ＰＤＳＣＨ ) )を受信した後、その１つの下りチャネルに対してフィードバック応答情報を送信することができる。
【０００３】
新しいラジオ( Ｎｅｗ Ｒａｄｉｏ、ＮＲ )システムにおいて、下りチャネルのフィードバック応答情報をどのように伝送するかは、解決すべき課題である。
【発明の概要】
【０００４】
本願の実施例は、フィードバック応答情報の重複伝送を回避し、物理上り制御チャネル( Ｐｈｙｓｉｃａｌ Ｕｐｌｉｎｋ Ｃｏｎｔｒｏｌ Ｃｈａｎｎｅｌ、ＰＵＣＣＨ )の効率を向上させることができる無線通信方法及びデバイスを提供する。
【０００５】
第１の態様は、無線通信方法を提供し、
端末デバイスが第１の時間ユニットにおいて第１のフィードバック情報を送信することを含み、
ここで、前記第１のフィードバック情報において第１のリソースユニットに対応するビットがプレースホルダー情報として設定され、前記第１のリソースユニットが第１の目標リソースセットに属し、前記第１のリソースユニットが第１の下りチャネルを伝送し、前記第１の下りチャネルに対応するフィードバックタイミングが第２の時間ユニットであり、前記第１の目標リソースセットが少なくとも１つのリソースユニットを含み、前記第２の時間ユニットと前記第１の時間ユニットとが異なる。
【０００６】
第１の態様と結合し、第１の態様の実現可能な方式において、前記第１の目標リソースセットは、上位層パラメータにより決定されたものである。
【０００７】
第１の態様又は上記の実現可能な方式と結合し、第１の態様の他の実現可能な方式において、前記第１の目標リソースセットの各リソースユニットは、前記下りチャネルを伝送するように構成されることができる。
【０００８】
第１の態様又は上記の実現可能な方式と結合し、第１の態様の他の実現可能な方式において、前記第１の目標リソースセットは、少なくとも１つのキャリア内の少なくとも１つの時間ユニットを含む。
【０００９】
第１の態様又は上記の実現可能な方式と結合し、第１の態様の他の実現可能な方式において、前記第１のフィードバック情報のビット数は、前記第１の目標リソースセットのリソースユニット数に基づいて決定されたものである。
【００１０】
第１の態様又は上記の実現可能な方式と結合し、第１の態様の他の実現可能な方式において、前記第１の目標リソースセットの各リソースユニットは、前記第１のフィードバック情報において少なくとも１つのビットに対応する。
【００１１】
第１の態様又は上記の実現可能な方式と結合し、第１の態様の他の実現可能な方式において、前記第１のフィードバック情報において第２のリソースユニットに対応するビットが第２の下りチャネルのフィードバック応用情報を搬送し、ここで、前記第２のリソースユニットが前記第１の目標リソースセットに属し、前記第２のリソースユニットが前記第２の下りチャネルを伝送し、前記第２の下りチャネルに対応するフィードバックタイミングが前記第１の時間ユニットである。
【００１２】
第１の態様又は上記の実現可能な方式と結合し、第１の態様の他の実現可能な方式において、前記第１のリソースユニットが第２の目標リソースセットにさらに属し、前記第２の目標リソースセットが少なくとも１つのリソースユニットを含み、前記方法は、さらに、
前記端末デバイスが前記第２の時間ユニットにおいて第２のフィードバック情報を送信することを含み、
ここで、前記第２のフィードバック情報において前記第１のリソースユニットに対応するビットが前記第１の下りチャネルのフィードバック応用情報として設定される。
【００１３】
第１の態様又は上記の実現可能な方式と結合し、第１の態様の他の実現可能な方式において、前記第２の目標リソースセットの各リソースユニットが前記第２のフィードバック情報において少なくとも１つのビットに対応する。
【００１４】
第１の態様又は上記の実現可能な方式と結合し、第１の態様の他の実現可能な方式において、前記方法は、さらに、
前記端末デバイスがネットワークデバイスにより送信された指示情報を受信することを含み、前記指示情報は、前記第１の下りチャネルに対応するフィードバックタイミングが前記第２の時間ユニットであることを示す。
【００１５】
第２の態様は、無線通信方法を提供し、
ネットワークデバイスが第１の時間ユニットにおいて端末デバイスにより送信された第１のフィードバック情報を受信することを含み、
ここで、前記第１のフィードバック情報において第１のリソースユニットに対応するビットがプレースホルダー情報として設定され、前記第１のリソースユニットが第１の目標リソースセットに属し、前記第１のリソースユニットが第１の下りチャネルを伝送し、前記第１の下りチャネルに対応するフィードバックタイミングが第２の時間ユニットであり、前記第１の目標リソースセットが少なくとも１つのリソースユニットを含み、前記第２の時間ユニットと前記第１の時間ユニットとが異なる。
【００１６】
第２の態様と結合し、第２の態様の実現可能な方式において、前記方法は、さらに、
前記ネットワークデバイスが前記第１の目標リソースセットを決定するための上位層パラメータを前記端末デバイスに構成することを含む。
【００１７】
第２の態様又は上記の実現可能な方式と結合し、第２の態様の他の実現可能な方式において、前記第１の目標リソースセットの各リソースユニットは、前記下りチャネルを伝送するように構成されることができる。
【００１８】
第２の態様又は上記の実現可能な方式と結合し、第２の態様の他の実現可能な方式において、前記第１の目標リソースセットは、少なくとも１つのキャリア内の少なくとも１つの時間ユニットを含む。
【００１９】
第２の態様又は上記の実現可能な方式と結合し、第２の態様の他の実現可能な方式において、前記第１のフィードバック情報のビット数は、前記第１の目標リソースセットのリソースユニット数に基づいて決定されたものである。
【００２０】
第２の態様又は上記の実現可能な方式と結合し、第２の態様の他の実現可能な方式において、前記第１の目標リソースセットの各リソースユニットは、前記第１のフィードバック情報において少なくとも１つのビットに対応する。
【００２１】
第２の態様又は上記の実現可能な方式と結合し、第２の態様の他の実現可能な方式において、前記第１のフィードバック情報において第２のリソースユニットに対応するビットが第２の下りチャネルのフィードバック応用情報を搬送し、ここで、前記第２のリソースユニットが前記第１の目標リソースセットに属し、前記第２のリソースユニットが前記第２の下りチャネルを伝送し、前記第２の下りチャネルに対応するフィードバックタイミングが前記第１の時間ユニットである。
【００２２】
第２の態様又は上記の実現可能な方式と結合し、第２の態様の他の実現可能な方式において、前記第１のリソースユニットが第２の目標リソースセットにさらに属し、前記第２の目標リソースセットが少なくとも１つのリソースユニットを含み、前記方法は、さらに、
前記ネットワークデバイスが前記第２の時間ユニットにおいて第２のフィードバック情報を受信することを含み、
ここで、前記第２のフィードバック情報において前記第１のリソースユニットに対応するビットが前記第１の下りチャネルのフィードバック応用情報として設定される。
【００２３】
第２の態様又は上記の実現可能な方式と結合し、第２の態様の他の実現可能な方式において、前記第２の目標リソースセットの各リソースユニットが前記第２のフィードバック情報において少なくとも１つのビットに対応する。
【００２４】
第２の態様又は上記の実現可能な方式と結合し、第２の態様の他の実現可能な方式において、前記方法は、さらに、
前記ネットワークデバイスが指示情報を送信することを含み、前記指示情報は、前記第１の下りチャネルに対応するフィードバックタイミングが前記第２の時間ユニットであることを示す。
【００２５】
第３の態様は、上記の第１の態様または第１の態様の任意の可能な実装における方法を実行するように構成された端末デバイスを提供する。具体的には、端末デバイスは、上記の第１の態様または第１の態様の任意の可能な実施例における方法を実行するように構成された機能モジュールを含む。
【００２６】
第４の態様は、上記の第２の態様または第２の態様の任意の可能な実装における方法を実行するように構成されたネットワークデバイスを提供する。特に、ネットワークデバイスは、上記の第２の態様または第２の態様の任意の可能な実施例における方法を実行するように構成された機能モジュールを含む。
【００２７】
第５の態様は、プロセッサと、メモリと、送受信機とを含む端末デバイスを提供する。プロセッサ、メモリ、および送受信機は、内部接続経路を介して互いに通信し、制御信号および/またはデータ信号を通信し、端末デバイスに、上記の第１の態様または第１の態様の可能な実装のいずれかにおける方法を実行させる。 
第６の態様は、プロセッサと、メモリと、送受信機とを含むネットワークデバイスが提供される。プロセッサ、メモリ、および送受信機は、内部接続経路を介して互いに通信し、制御信号および/またはデータ信号を通信し、ネットワークデバイスに、上記の第２の態様または第２の態様の可能な実装のいずれかにおける方法を実行させる。 
第７の態様は、上述の方法または任意の可能な実装を実行するための命令を含むコンピュータプログラムを記憶するように構成されたコンピュータ可読媒体を提供する。
【００２８】
第８の態様は、命令を含むコンピュータプログラム製品を提供し、コンピュータプログラム製品は、コンピュータ上で実行されると、コンピュータに、上述の方法または任意の可能な実装の方法を実行させる。
【００２９】
そして、本願の実施例では、１つのリソースユニットの下りチャネルに対応するフィードバック応答情報が複数の時間ユニットを搬送することができる場合に、そのうちの１つの時間ユニット上で送信されるフィードバック情報に、そのリソースユニットについてのプレースホルダー情報が設けられ、フィードバック応答情報が重複して伝送されることを回避することができ、物理上り制御チャネル( Ｐｈｙｓｉｃａｌ Ｕｐｌｉｎｋ Ｃｏｎｔｒｏｌ Ｃｈａｎｎｅｌ、ＰＵＣＣＨ )の効率を向上させることができる。
【図面の簡単な説明】
【００３０】
本開示の上記および他の特徴およびメリットは、添付の図面を参照して詳細に説明する例示的な実施例により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例における無線通信方法のフローチャートである。
【図３】本願の実施例におけるリソースユニットとフィードバック情報の送信ための時間ユニットとのマッピング関係を示す図である。
【図４】本願の実施例における端末デバイスのブロック図である。
【図５】本願の実施例におけるネットワークデバイスのブロック図である。
【図６】本願の実施例におけるシステムチップのブロック図である。
【図７】本願の実施例における通信デバイスのブロック図である。
【発明を実施するための形態】
【００３１】
以下、本発明の実施の形態について図面を参照して説明するが、本発明は、この実施の形態に限定されるものではなく、本発明の技術的思想に基づく各種の変形が可能である。本願における実施例に基づいて、当業者が創造的な労働をすることなく得られる全ての他の実施例は、本願の保護範囲に属する。
【００３２】
本願実施例の技術は、様々な通信システムに適用可能であり、例えば、Ｇｌｏｂａｌ Ｓｙｓｔｅｍ ｏｆ Ｍｏｂｉｌｅ ｃｏｍｍｕｎｉｃａｔｉｏｎ （ ＧＳＭ )方式、Ｃｏｄｅ Ｄｉｖｉｓｉｏｎ Ｍｕｌｔｉｐｌｅ Ａｃｃｅｓｓ （ ＣＤＭＡ )方式、Ｗｉｄｅｂａｎｄ Ｃｏｄｅ Ｄｉｖｉｓｉｏｎ Ｍｕｌｔｉｐｌｅ Ａｃｃｅｓｓ （ ＷＣＤＭＡ )方式、Ｇｅｎｅｒａｌ Ｐａｃｋｅｔ Ｒａｄｉｏ Ｓｅｒｖｉｃｅ （ ＧＰＲＳ )方式、Ｌｏｎｇ Ｔｅｒｍ Ｅｖｏｌｕｔｉｏｎ （ ＬＴＥ )方式、Ｆｒｅｑｕｅｎｃｙ Ｄｉｖｉｓｉｏｎ Ｄｕｐｌｅｘ （ ＦＤＤ )方式、Ｔｉｍｅ Ｄｉｖｉｓｉｏｎ Ｄｕｐｌｅｘ （ ＴＤＤ )方式、Ｕｎｉｖｅｒｓａｌ Ｍｏｂｉｌｅ Ｔｅｌｅｃｏｍｍｕｎｉｃａｔｉｏｎ Ｓｙｓｔｅｍ （ ＵＭＴＳ )方式、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ （ ＷｉＭＡＸ )方式、又は将来の５Ｇ方式(新無線Ｎｅｗ Ｒａｄｉｏ、ＮＲ )方式等の、グローバルシステムにおける無線通信方式を用いることができる。
【００３３】
図１は、本願の実施例が適用される無線通信システム１００を示す。無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局（ Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００３４】
この無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ  Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Gネットワークにおける端末デバイス、または将来開発されるPLMNにおける端末デバイスなどであり得る。
【００３５】
任意選択で、端末デバイス１２０間の端末直接接続( Ｄｅｖｉｃｅ ｔｏ Ｄｅｖｉｃｅ、Ｄ２Ｄ )通信が行われてもよい。
【００３６】
任意選択で、５Ｇシステム又はネットワークは、新たなラジオ( Ｎｅｗ Ｒａｄｉｏ、ＮＲ )システム又はネットワークと呼ばれることもある。
【００３７】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００３８】
任意選択で、無線通信システム１００は、ネットワークコントローラ、モビリティ管理エンティティなどの他のネットワークエンティティをさらに含むことができ、本願の実施例はこれに限定されない。
【００３９】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００４０】
図２は、本願の実施例における無線通信方法２００の概略的なフローチャートである。方法２００は、任意選択で、図１に示されるシステムに適用され得るが、これに限定されない。図２に示されるように、方法２００は、以下の少なくとも一部を含む。
【００４１】
２１０において、端末デバイスが第１の時間ユニットにおいて第１のフィードバック情報を送信する。
【００４２】
ここで、該第１のフィードバック情報において第１のリソースユニットに対応するビットがプレースホルダー情報として設定され、該第１のリソースユニットが第１の目標リソースセットに属し、該第１のリソースユニットが第１の下りチャネルを伝送し、該第１の下りチャネルに対応するフィードバックタイミングが第２の時間ユニットであり、該第１の目標リソースセットが少なくとも１つのリソースユニットを含み、該第２の時間ユニットと該第１の時間ユニットとが異なる。
【００４３】
２２０において、ネットワークデバイスが第１の時間ユニットにおいて端末デバイスにより送信された第１のフィードバック情報を受信する。 
任意選択で、該第１の時間ユニット又は第２の時間ユニットは、スロット、ミニスロット、またはシンボルなどであってもよい。
【００４４】
任意選択で、本願の実施例におけるプレースホルダー情報は、ＮＡＣＫであってもよい。
【００４５】
任意選択で、本願の実施例におけるフィードバック応用情報は、ＡＣＫ情報又はＮＡＣＫであってもよく、下りチャネルに対する結果に基づいて定められてもよい。
【００４６】
任意選択で、この第１の目標リソースセット内のリソースユニットが時間領域上で占用するリソースサイズは、同じであり得る。
【００４７】
任意選択で、この第１の目標リソースセットの各リソースユニットは、時間領域において、１つまたは複数のスロット、または１つのスロット内の１つまたは複数のシンボルを占用し得る。
【００４８】
任意選択で、該第１の目標リソースセットは、少なくとも１つのキャリアの少なくとも１つの時間ユニットを含む。
【００４９】
任意選択で、この第１の目標リソースセットは、複数の下りチャネルを送信することができ、各下りクチャネルは、少なくとも１つのリソースユニットを占用し得る。ここで、該複数の下りチャネルが占用するリソースユニットの数は異なってもよい。
【００５０】
第１の目標リソースセットが複数の下りチャネルを伝送する場合、第１のフィードバック情報は、複数の下りチャネルのフィードバック情報を搬送し得る。
【００５１】
任意選択で、ＮＲシステムにおいてＡＣＫ/ＮＡＣＫ多重送信し、すなわち、複数のＰＤＳＣＨに対応するＡＣＫ/ＮＡＣＫ情報が１つのＰＵＣＣＨで伝送される。ＡＣＫ/ＮＡＣＫ多重伝送では、さらに、半静的にＡＣＫ/ＮＡＣＫビット数を決定する( ｓｅｍｉ−ｓｔａｔｉｃ ＨＡＲＱ−ＡＣＫ ｃｏｄｅｂｏｏｋ )と、動的にＡＣＫ/ＮＡＣＫビット数を決定する( ｄｙｎａｍｉｃ ＨＡＲＱ−ＡＣＫ ｃｏｄｅｂｏｏｋ )という２つのＡＣＫ/ＮＡＣＫ情報生成方式がサポートされる。端末は、ＡＣＫ/ＮＡＣＫビット数を準静的に決定するように構成される場合、サポートされる事前構成セットの最大値及び最小値に基づいてＡＣＫ/ＮＡＣＫビット数を決定する。例えば、シングルキャリア、シングルコードワード伝送の場合、事前構成セットが{ １，２，３，４，５，６，７，８ }である場合、ＡＣＫ/ＮＡＣＫビット数は８ビットである。
【００５２】
任意選択で、該第１の目標リソースセットは、上位層パラメータにより決定されたものである。
【００５３】
具体的に、ネットワークデバイスは、上位層パラメータを介して該第１の目標リソースセットを端末に構成することができる。そして、端末は、該上位層パラメータに基づいて、該第１の目標リソースセットを決定することができる。
【００５４】
任意選択で、該第１の目標リソースセット内の各リソースユニットは、該下りチャネルを伝送するように構成されることができる。
【００５５】
なお、各リソースユニットは、下りチャネルを送信するように構成され得るが、それは、このリソースセットが必ず下りチャネルを送信することを意味せず、リソースユニットが下りチャネルの伝送をサポートすることを意味する
任意選択で、本願の実施例では、リソースユニットが下りチャンネルを伝送するときに、１つのリソースユニット内で１つ又は複数の符号化ブロックが伝送されてもよく、或いは、１つのリソースユニット内で１つ又は複数の伝送ブロックが伝送されてもよい。
【００５６】
任意選択で、該端末デバイスが第１の時間ユニットにおいて第１のフィードバック情報を送信する前に、該第１のフィードバック情報のビット数を決定する。
【００５７】
任意選択で、該第１のフィードバック情報のビット数は、第１の目標リソースセットのリソースユニット数に関連し、即ち、該第１のフィードバック情報のビット数は、第１の目標リソースセットのリソースユニット数に基づいて決定する。
【００５８】
任意選択で、前記第１の目標リソースセットの各リソースユニットは、前記第１のフィードバック情報において少なくとも１つのビットに対応する。
【００５９】
任意選択で、第１のフィードバック情報内のリソースユニットの対応するビット数は、各リソースユニットが搬送可能な符号化ブロックグループまたは伝送ブロックの数に関連する。
【００６０】
例えば、第１のフィードバック情報内の１つのリソースユニットの対応するビット数は、リソースユニットが搬送できる符号化ブロックグループ又は伝送ブロックの数と等しくてよい。
【００６１】
任意選択で、１つのリソースユニット上に下りチャネル送信がない場合、そのリソースユニットに対応する少なくとも１ビットが、プレースホルダー情報を搬送することができる。
【００６２】
任意選択で、本願の実施例において、該第１のフィードバック情報において第２のリソースユニットに対応するビットが第２の下りチャネルのフィードバック応用情報を搬送し、ここで、該第２のリソースユニットが該第１の目標リソースセットに属し、該第２のリソースユニットが該第２の下りチャネルを伝送し、該第２の下りチャネルに対応するフィードバックタイミングが該第１の時間ユニットである。
【００６３】
任意選択で、本願の実施例において、該第１のリソースユニットは、さらに、第２の目標リソースセットに属し、該第２の目標リソースセットが少なくとも１つのリソースユニットを含み、該端末デバイスが該第２の時間ユニットにおいて第２のフィードバック情報を送信し、
ここで、該第２のフィードバック情報において該第１のリソースユニットに対応するビットが該第１の下りチャネルのフィードバック応用情報として設定される。
【００６４】
任意選択で、該第２の目標リソースセット中的リソースユニット時間領域上で占用するリソースサイズは、同じであり得る。
【００６５】
任意選択で、該第２の目標リソースセットの各リソースユニットは、時間領域において、１つまたは複数のスロット、または１つのスロット内の１つまたは複数のシンボルを占用し得る。
【００６６】
任意選択で、該第２の目標リソースセットは、少なくとも１つのキャリア内の少なくとも１つの時間ユニットを含む。
【００６７】
任意選択で、該第２のフィードバック情報のビット数は、第２の目標リソースセット内のリソースユニット数に関連し、即ち、該第２のフィードバック情報のビット数は、第２の目標リソースセットのリソースユニット数に基づいて決定したものである。
【００６８】
任意選択で、前記第２の目標リソースセットの各リソースユニットが前記第２のフィードバック情報において少なくとも１つのビットに対応する。
【００６９】
任意選択で、第２のフィードバック情報内のリソースユニットの対応するビット数は、各リソースユニットが搬送可能な符号化ブロックグループまたは伝送ブロックの数に関連する。
【００７０】
例えば、第２のフィードバック情報内の１つのリソースユニットの対応するビット数は、リソースユニットが搬送できる符号化ブロックグループ又は伝送ブロックの数と等しくてよい。
【００７１】
任意選択で、１つのリソースユニット上に下りチャネル送信がない場合、そのリソースユニットに対応する少なくとも１ビットが、プレースホルダー情報を搬送することができる。
【００７２】
任意選択で、該第２の目標リソースセットは、複数の下りチャネルを送信することができ、各下りチャネルは、少なくとも１つのリソースユニットを占用し得る。ここで、該複数の下りチャネルが占用するリソースユニットの数は異なってもよい。
【００７３】
任意選択で、第１の目標リソースセットおよび第２の目標リソースセットに含まれるリソースユニットの数は、等しくてもよく、または等しくなくてもよい。
【００７４】
任意選択で、第１の目標リソースセットに含まれるリソースユニットのサイズと第２の目標リソースセットに含まれるリソースユニットのサイズとは、同じであってもよく、または、異なってもよい。
【００７５】
任意選択で、本願の実施例において、端末は、ネットワークデバイスにより送信された指示情報を受信し、前記指示情報は、前記第１の下りチャネルに対応するフィードバックタイミングが前記第２の時間ユニットであることを示す。
【００７６】
任意選択で、５Ｇ ( ＮＲ，ｎｅｗ ｒａｄｉｏ )システムでは、フィードバック応用情報フィードバックタイミング(ハイブリッド自動再送要求( Ｈｙｂｒｉｄ Ａｕｔｏｍａｔｉｃ Ｒｅｐｅａｔ ｒｅＱｕｅｓｔ，ＨＡＲＱ )タイミング)がＰＤＳＣＨのために動的にサポートされる。すなわち、端末は、予め設定されたタイミングセットを決定し、そのセット内に８つの値、例えば、{ Ｋ１０，Ｋ１１，Ｋ１２，Ｋ１３，Ｋ１４，Ｋ１５，Ｋ１６，Ｋ１７ }を含めることができる。下り制御情報( Ｄｏｗｎｌｉｎｋ Ｃｏｎｔｒｏｌ Ｉｎｆｏｒｍａｔｉｏｎ、ＤＣＩ )が、スロット（ｓｌｏｔ）nにおいてＰＤＳＣＨを伝送することを指示するとともに、該ＤＣＩ内に３ビットの目標情報フィールドが含まれ、該タイミングセット中の１つの値Ｋ１ｉを指示する場合、端末はｓｌｏｔｎ + Ｋ１ｉ内に該ＰＤＳＣＨに対応する肯定確認( Ａｃｋｎｏｗｌｅｄｇｅ、ＡＣＫ ) /否定確認( Ｎｏｎ−Ａｃｋｎｏｗｌｅｄｇｅ、ＮＡＣＫ )情報を送信する。
【００７７】
本願のより明確な理解のために、図３を参照して以下に説明する。
【００７８】
図３に示すように、ＰＤＳＣＨ１、ＰＤＳＣＨ２、ＰＤＳＣＨ３、ＰＤＳＣＨ４、ＰＤＳＣＨ５、ＰＤＳＣＨ６、ＰＤＳＣＨ７、ＰＤＳＣＨ８は、それぞれ、スロットｎ＋１、ｎ＋２、ｎ＋４、ｎ＋５、ｎ＋６、ｎ＋８、ｎ＋９、ｎ＋１１で伝送される。
【００７９】
ここで、スロットｎ＋８は、スロットｎからスロットｎ＋７に対応し、即ち、スロットｎ＋８上でフィードバック情報を伝送し、このフィードバック情報は、スロットnからスロットｎ＋７上の下りチャネルのフィードバック応答情報を搬送することができる。そして、スロットｎ＋１２は、スロットｎ＋４からスロットｎ＋１１に対応し、即ち、スロットｎ＋１２でスロットｎ＋４からスロットｎ＋１１の下りチャンネルのフィードバック応答情報を搬送するできるフィードバック情報を伝送する。
【００８０】
以上のことから、スロットｎ＋４からスロットｎ＋７に対し、これに伝送される下りチャネルのフィードバック応答情報は、スロットｎ＋８に搬送されてもよいし、スロットｎ＋１２に搬送されてもよい。
【００８１】
ネットワークデバイスは、フィードバックタイミングを示すことができ、例えば、ＰＤＳＣＨ１、２、３、４、５のＡＣＫ/ＮＡＣＫがスロットｎ＋８において伝送され、ＰＤＳＣＨ６、７、８のＡＣＫ/ＮＡＣＫがスロットｎ＋１２において伝送される。
【００８２】
端末デバイスは、スロットｎ＋８におけるフィードバック情報系列を{ ０，ｂ１，ｂ２，０，ｂ３，ｂ４，ｂ５，０ }、スロットｎ＋１２におけるフィードバック情報系列を{ ０，０，０，０，ｂ６，ｂ７，０，ｂ８ }と決定することができ、ここで、ｂｉはＰＤＳＣＨｉに対応するＡＣＫ/ＮＡＣＫ情報、「０」はプレースホルダー情報である。
【００８３】
本願の実施例において、該第１の時間ユニットが伝送する第１のフィードバック情報は、少なくとも１つの下りチャネルがそれぞれ対応する少なくとも１つのフィードバック応用情報を含み、該少なくとも１つの下りチャネルは、第１の目標リソースセットにおけるリソースユニットにより伝送され、該少なくとも１つの下りチャネルに対応するフィードバックタイミングが前記第１の時間ユニットである。
【００８４】
さらに、前記第１の目標リソースセットの各リソースユニットは、前記第１のフィードバック情報において少なくとも１つのビットに対応する場合、該少なくとも１つの下りチャネルのフィードバック応用情報の前記フィードバック情報におけるビットは、該下りチャネルを伝送するリソースユニットに対応するビットである。
【００８５】
さらに、任意選択で、第１の目標リソースセットに下りチャネルを伝送しないリソースユニットが存在する場合、下りチャネルを伝送しないリソースユニットに対応するビットをプレースホルダー情報として設定される。
【００８６】
さらに、任意選択で、第１の目標リソースセット内にリソースユニット伝送の下りチャネルに対応するフィードバックタイミングが該第１の時間ユニットでない場合、該リソースユニットに対応するビットも、プレースホルダー情報として設定される。
【００８７】
そして、本願の実施例では、１つのリソースユニットの下りチャネルに対応するフィードバック応答情報が複数の時間ユニットに搬送される場合に、そのうちの１つの時間ユニット上で送信されるフィードバック情報に、そのリソースユニットについてのプレースホルダー情報が設けられ、フィードバック応答情報が重複して伝送されることを回避することができ、物理上り制御チャネル( Ｐｈｙｓｉｃａｌ Ｕｐｌｉｎｋ Ｃｏｎｔｒｏｌ Ｃｈａｎｎｅｌ、ＰＵＣＣＨ )の効率を向上させることができる。
【００８８】
図４は本願の実施例における端末デバイス３００のブロック図である。図４に示すように、該端末デバイス３００は、送信ユニット３１０を含み、
送信ユニット３１０は、第１の時間ユニットにおいて第１のフィードバック情報を送信するように構成され、
ここで、前記第１のフィードバック情報において第１のリソースユニットに対応するビットがプレースホルダー情報として設定され、前記第１のリソースユニットが第１の目標リソースセットに属し、前記第１のリソースユニットが第１の下りチャネルを伝送し、前記第１の下りチャネルに対応するフィードバックタイミングが第２の時間ユニットであり、前記第１の目標リソースセットが少なくとも１つのリソースユニットを含み、前記第２の時間ユニットと前記第１の時間ユニットとが異なる。
【００８９】
任意選択で、前記第１の目標リソースセットは、上位層パラメータにより決定されたものである。
【００９０】
任意選択で、前記第１の目標リソースセットの各リソースユニットは、前記下りチャネルを伝送するように構成されることができる。
【００９１】
任意選択で、前記第１の目標リソースセットは、少なくとも１つのキャリア内の少なくとも１つの時間ユニットを含む。
【００９２】
任意選択で、前記第１のフィードバック情報のビット数は、前記第１の目標リソースセットのリソースユニット数に基づいて決定されたものである。
【００９３】
任意選択で、前記第１の目標リソースセットの各リソースユニットは、前記第１のフィードバック情報において少なくとも１つのビットに対応する。
【００９４】
任意選択で、前記第１のフィードバック情報において第２のリソースユニットに対応するビットが第２の下りチャネルのフィードバック応用情報を搬送し、ここで、前記第２のリソースユニットが前記第１の目標リソースセットに属し、前記第２のリソースユニットが前記第２の下りチャネルを伝送し、前記第２の下りチャネルに対応するフィードバックタイミングが前記第１の時間ユニットである。
【００９５】
任意選択で、前記第１のリソースユニットが第２の目標リソースセットにさらに属し、前記第２の目標リソースセットが少なくとも１つのリソースユニットを含み、前記送信ユニット３１０は、さらに、
前記第２の時間ユニットにおいて第２のフィードバック情報を送信するように構成され、
ここで、前記第２のフィードバック情報において前記第１のリソースユニットに対応するビットが前記第１の下りチャネルのフィードバック応用情報として設定される。
【００９６】
任意選択で、前記第２の目標リソースセットの各リソースユニットが前記第２のフィードバック情報において少なくとも１つのビットに対応する。
【００９７】
任意選択で、図４に示すように、該端末デバイス３００は、さらに、受信ユニット３２０を含み、
受信ユニット３２０は、ネットワークデバイスにより送信された指示情報を受信するように構成され、前記指示情報は、前記第１の下りチャネルに対応するフィードバックタイミングが前記第２の時間ユニットであることを示す。
【００９８】
なお、端末デバイス３００は、方法２００の端末デバイスに対応することができ、方法２００の端末デバイスの対応する動作を実現し、簡潔のために、ここで説明を省略する。
【００９９】
図５は本願の実施例におけるネットワークデバイス４００のブロック図である。図５に示すように、該ネットワークデバイス４００は、受信ユニット４１０を含み、
受信ユニット４１０は、第１の時間ユニットにおいて端末デバイスにより送信された第１のフィードバック情報を受信するように構成され、
ここで、前記第１のフィードバック情報において第１のリソースユニットに対応するビットがプレースホルダー情報として設定され、前記第１のリソースユニットが第１の目標リソースセットに属し、前記第１のリソースユニットが第１の下りチャネルを伝送し、前記第１の下りチャネルに対応するフィードバックタイミングが第２の時間ユニットであり、前記第１の目標リソースセットが少なくとも１つのリソースユニットを含み、前記第２の時間ユニットと前記第１の時間ユニットとが異なる。
【０１００】
任意選択で、図５に示すように、該ネットワークデバイス４００は、さらに、送信ユニット４２０を含み、
送信ユニット４２０は、前記第１の目標リソースセットを決定するための上位層パラメータを前記端末デバイスに構成するように構成される。
【０１０１】
任意選択で、前記第１の目標リソースセットの各リソースユニットは、前記下りチャネルを伝送するように構成されることができる。
【０１０２】
任意選択で、前記第１の目標リソースセットは、少なくとも１つのキャリア内の少なくとも１つの時間ユニットを含む。
【０１０３】
任意選択で、前記第１のフィードバック情報のビット数は、前記第１の目標リソースセットのリソースユニット数に基づいて決定されたものである。
【０１０４】
任意選択で、前記第１の目標リソースセットの各リソースユニットは、前記第１のフィードバック情報において少なくとも１つのビットに対応する。
【０１０５】
任意選択で、前記第１のフィードバック情報において第２のリソースユニットに対応するビットが第２の下りチャネルのフィードバック応用情報を搬送し、ここで、前記第２のリソースユニットが前記第１の目標リソースセットに属し、前記第２のリソースユニットが前記第２の下りチャネルを伝送し、前記第２の下りチャネルに対応するフィードバックタイミングが前記第１の時間ユニットである。
【０１０６】
任意選択で、前記第１のリソースユニットが第２の目標リソースセットにさらに属し、前記第２の目標リソースセットが少なくとも１つのリソースユニットを含み、受信ユニット４１０は、さらに、
前記第２の時間ユニットにおいて第２のフィードバック情報を受信するように構成され、
ここで、前記第２のフィードバック情報において前記第１のリソースユニットに対応するビットが前記第１の下りチャネルのフィードバック応用情報として設定される。
【０１０７】
任意選択で、前記第２の目標リソースセットの各リソースユニットが前記第２のフィードバック情報において少なくとも１つのビットに対応する。
【０１０８】
任意選択で、図５に示すように、該ネットワークデバイス４００は、さらに、送信ユニット４２０を含み、
送信ユニット４２０は、指示情報を送信するように構成され、前記指示情報は、前記第１の下りチャネルに対応するフィードバックタイミングが前記第２の時間ユニットであることを示す。
【０１０９】
なお、該ネットワークデバイス４００は、方法２００におけるネットワークデバイスに対応してもよく、方法２００におけるネットワークデバイスの対応する動作を実現し、簡潔にするために、ここで説明を省略する。
【０１１０】
図６は、本発明の実施例に係るシステムチップ８００の概略構成図である。図６のシステムチップ８００は、入力インターフェース８０１、出力インターフェース８０２、メモリ８０４内のコードを実行するように構成されたプロセッサ８０３、及びメモリ８０４を含み、それらは内部通信接続線を介して接続され得る。
【０１１１】
任意選択で、コードが実行されると、プロセッサ８０３は、方法の実施例においてネットワークデバイスによって実行される方法を実施する。簡潔にするために、ここで説明を省略する。
【０１１２】
任意選択で、コードが実行されると、プロセッサ８０３は、方法の実施例において端末デバイスによって実行される方法を実施する。簡潔にするために、ここで説明を省略する。
【０１１３】
図７は、本発明の実施例による通信デバイス９００の概略的なブロック図である。図７に示すように、通信デバイス９００は、プロセッサ９１０と、メモリ９２０とを有する。ここで、該メモリ９２０はプログラムコードを記憶してもよく、該プロセッサ９１０は該メモリ９２０に記憶されたプログラムコードを実行してもよい。
【０１１４】
任意選択で、図７に示すように、通信デバイス９００は、プロセッサ９１０が外部と通信するように制御することができる送受信機９３０を含んでもよい。
【０１１５】
任意選択で、プロセッサ９１０は、メモリ９２０に記憶されたプログラムコードを呼び出して、方法の実施例におけるネットワークデバイスの対応する動作を実行してもよく、簡潔のためにここでは詳しい説明を省略する。
【０１１６】
任意選択で、プロセッサ９１０は、メモリ９２０に記憶されたプログラムコードを呼び出して、方法の実施例における端末デバイスの対応する動作を実行してもよく、簡潔のためにここでは詳しい説明を省略する。
【０１１７】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１１８】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ（ Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、又はフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、酢他ティックランダムアクセスメモリ( Ｓｔａｔｉｃ ＲＡＭ、ＳＲＡＭ )、ダイナミックランダムアクセスメモリ（ Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、増強型同期ランダムアクセスメモリ( Ｅｎｈａｎｃｅｄ ＳＤＲＡＭ、ＥＳＤＲＡＭ )、シンクロナス接続ダイナミックランダムアクセスメモリ（ Ｓｙｎｃｈｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１１９】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１２０】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１２１】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１２２】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１２３】
また、本発明の各実施例における各機能部は、１つの処理部に集積されてもよいし、各部は、物理的に別個に存在してもよいし、２つ以上の部が１つの部に集積されてもよい。
【０１２４】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１２５】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021517385.tif 000003
【図２】
2021517385.tif 000004
【図３】
2021517385.tif 000005
【図４】
2021517385.tif 000006
【図５】
2021517385.tif 000007
【図６】
2021517385.tif 000008
【図７】
2021517385.tif 000009
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
無線通信デバイスにおける装置であって、
メモリとプロセッサを備え、
前記メモリは、プログラム命令を記憶し、
前記プロセッサは、前記プログラム命令を実行する場合、
第１の時間ユニットが第１の下りチャネルに対応するフィードバックタイミングであるかどうかを決定し、
前記第１の時間ユニットが前記第１の下りチャネルに対応するフィードバックタイミングでない場合、前記第１の時間ユニットにおいて第１のフィードバック情報を出力し、
前記第１のフィードバック情報は、ＮＡＣＫ値を第１の目標リソースセットの第１のリソースユニットに対応するＡＣＫ／ＮＡＣＫビットのプレースホルダー情報として第１の下りチャネルに応答するために使用され、
前記第１の目標リソースセットが少なくとも１つのリソースユニットを含む
ことを特徴とする無線通信デバイスにおける装置。
【請求項２】
前記装置は、
前記第２の時間ユニットが前記第１の下りチャネルに対応するフィードバックタイミングである場合、前記第２の時間ユニットに関連する第２のフィードバック情報を出力し、
前記第２のフィードバック情報は、第２の目標リソースセットの第１のリソースユニットに対応するＡＣＫ／ＮＡＣＫビットに対するＡＣＫ／ＮＡＣＫ値を利用して、第１の下りチャネルに応答するために使用され、
前記第２の目標リソースセットが少なくとも１つのリソースユニットを含む
ことを特徴とする請求項１に記載の装置。
【請求項３】
前記装置は、さらに、
前記第１の時間ユニットが第２の下りチャネルに対応するフィードバックタイミングであるかどうかを決定し、
前記第１の時間ユニットが前記第２の下りチャネルに対応するフィードバックタイミングである場合、前記第１の時間ユニットにおいて第３のフィードバック情報を出力し、
前記第３のフィードバック情報は、第１の目標リソースセットの第２のリソースユニットに対応するＡＣＫ／ＮＡＣＫビットのＡＣＫ／ＮＡＣＫ値を利用して、前記第２の下りチャネルに応答するために使用される
ことを特徴とする請求項１又は２に記載の装置。
【請求項４】
前記第１の目標リソースセットは、上位層パラメータにより決定されたものである
ことを特徴とする請求項１〜３のいずれか１項に記載の装置。
【請求項５】
前記第１の目標リソースセットの各リソースユニットは、前記下りチャネルを伝送するように構成される
ことを特徴とする請求項１〜４のいずれか１項に記載の装置。
【請求項６】
前記第１の目標リソースセットは、少なくとも１つのキャリア内の少なくとも１つの時間ユニットを含む
ことを特徴とする請求項１〜５のいずれか１項に記載の装置。
【請求項７】
前記第１のフィードバック情報のビット数は、前記第１の目標リソースセットのリソースユニット数に基づいて決定されたものである
ことを特徴とする請求項１〜６のいずれか１項に記載の装置。
【請求項８】
前記第１の目標リソースセットの各リソースユニットは、前記第１のフィードバック情報において少なくとも１つのビットに対応する
ことを特徴とする請求項１〜７のいずれか１項に記載の装置。
【請求項９】
前記第２の目標リソースセットの各リソースユニットは、前記第２のフィードバック情報において少なくとも１つのビットに対応する
ことを特徴とする請求項２〜８のいずれか１項に記載の装置。
【請求項１０】
前記装置は、指示情報を入力し、
前記指示情報は、前記第１の下りチャネルに対応するフィードバックタイミングが前記第２の時間ユニットであることを示す
ことを特徴とする請求項１〜９のいずれか１項に記載の装置。
【請求項１１】
前記装置は、端末デバイスに含める
ことを特徴とする請求項１〜１０のいずれか１項に記載の装置。
【請求項１２】
無線通信デバイスにおける装置により実現される無線通信方法であって、
第１の時間ユニットが第１の下りチャネルに対応するフィードバックタイミングであるかどうかを決定することと、
前記第１の時間ユニットが前記第１の下りチャネルに対応するフィードバックタイミングでない場合、前記第１の時間ユニットにおいて第１のフィードバック情報を出力することと、を含み、
前記第１のフィードバック情報は、ＮＡＣＫ値を第１の目標リソースセットの第１のリソースユニットに対応するＡＣＫ／ＮＡＣＫビットのプレースホルダー情報として第１の下りチャネルに応答するために使用され、
前記第１の目標リソースセットが少なくとも１つのリソースユニットを含む
ことを特徴とする無線通信方法。
【請求項１３】
前記方法は、さらに、
第２の時間ユニットが前記第１の下りチャネルに対応するフィードバックタイミングである場合、前記第２の時間ユニットに関連する第２のフィードバック情報を出力することを含み、
前記第２のフィードバック情報は、第２の目標リソースセットの第１のリソースユニットに対応するＡＣＫ／ＮＡＣＫビットに対するＡＣＫ／ＮＡＣＫ値を利用して、第１の下りチャネルに応答するために使用され、
前記第２の目標リソースセットが少なくとも１つのリソースユニットを含む
ことを特徴とする請求項１２に記載の無線通信方法。
【請求項１４】
前記方法は、さらに、
前記第１の時間ユニットが第２の下りチャネルに対応するフィードバックタイミングであるかどうかを決定することと、
前記第１の時間ユニットが前記第２の下りチャネルに対応するフィードバックタイミングである場合、前記第１の時間ユニットにおいて第３のフィードバック情報を出力することとを含み、
前記第３のフィードバック情報は、第１の目標リソースセットの第２のリソースユニットに対応するＡＣＫ／ＮＡＣＫビットのＡＣＫ／ＮＡＣＫ値を利用して、前記第２の下りチャネルに応答するために使用される
ことを特徴とする請求項１２又は１３に記載の無線通信方法。
【請求項１５】
前記第１の目標リソースセットは、上位層パラメータにより決定されたものである
ことを特徴とする請求項１２〜１４のいずれか1項に記載の無線通信方法。
【請求項１６】
前記第１の目標リソースセットの各リソースユニットは、前記下りチャネルを伝送するように構成されることができる
ことを特徴とする請求項１２〜１５のいずれか1項に記載の無線通信方法。
【請求項１７】
前記第１の目標リソースセットは、少なくとも１つのキャリア内の少なくとも１つの時間ユニットを含む
ことを特徴とする請求項１２〜１６のいずれか１項に記載の無線通信方法。
【請求項１８】
前記第１のフィードバック情報のビット数は、前記第１の目標リソースセットのリソースユニット数に基づいて決定されたものである
ことを特徴とする請求項１２〜１７のいずれか１項に記載の無線通信方法。
【請求項１９】
前記第１の目標リソースセットの各リソースユニットは、前記第１のフィードバック情報において少なくとも１つのビットに対応する
ことを特徴とする請求項１２〜１８のいずれか１項に記載の無線通信方法。
【請求項２０】
前記第２の目標リソースセットの各リソースユニットが前記第２のフィードバック情報において少なくとも１つのビットに対応する
ことを特徴とする請求項１３〜１９のいずれか1項に記載の無線通信方法。
【請求項２１】
前記方法は、さらに、
指示情報を入力することを含み、前記指示情報は、前記第１の下りチャネルに対応するフィードバックタイミングが前記第２の時間ユニットであることを示す
ことを特徴とする請求項１２〜２０のいずれか１項に記載の無線通信方法。
【請求項２２】
前記装置は、端末デバイスに含める
ことを特徴とする請求項１２〜２１のいずれか１項に記載の無線通信方法。
【国際調査報告】
2021517385.tif 000010
2021517385.tif 000011
2021517385.tif 000012
2021517385.tif 000013